(57)【要約】      （修正有）【課題】筐体に対するストラップの取り付けが容易で外れないストラップ取り付け構造を提供する。【解決手段】上側筐体１０を平面視して電池が配置される領域に下側筐体２０に代えて電池用蓋２２を装着する。上側筐体１０と電池用蓋２２とに挟まれる第４内部空間に高さの方向に沿って延びる形状の突起部材８０を立設する。第４内部空間側の外周壁に、下側筐体２０と当接する側が開口するように溝８１，８２を形成する。ストラップ９０は、途中が突起部材８０に巻くようにして折り返され、該折り返される部分の両側のひもが溝８１，８２を挿通するように装着される。電池用蓋２２は、前記高さ方向と直交する方向に沿って延びる形状のガイド２２１を備える。下側筐体２０の厚肉部２３０は高さ方向と直交する方向に沿って延びる形状の溝２３２を備える。ガイド２２１と溝２３２とを係合させることによって、電池用蓋２２を筐体に装着する。【選択図】図１０
0003177769.tif 000002
【実用新案登録請求の範囲】
【請求項１】
上側筐体と下側筐体とを組み合わせることによって所定の高さからなる内部空間を形成した薄型の筐体と、
該筐体の前記内部空間に配置された電池および該電池で駆動する電子機器と、を備え、
前記筐体にストラップを取り付ける携帯機器のストラップ取り付け構造であって、
前記上側筐体を平面視して前記電池が配置される領域に前記下側筐体に代えて前記上側筐体および前記下側筐体に対して着脱可能に装着される電池用蓋と、
前記上側筐体と前記電池用蓋とに挟まれる内部空間に前記高さの方向に沿って立設された突起部材と、
前記上側筐体の前記電池が配置される側の側壁に、前記下側筐体と当接する側が開口するように形成された溝と、を備え、
前記ストラップは、ひもの途中の所定位置が前記突起部材に巻くようにして折り返されており、該折り返される部分の両側のひもが前記溝を挿通するように装着され、
前記電池用蓋は、前記高さ方向と直交する方向に沿って延びる形状のガイドを備え、
前記筐体は、前記高さ方向と直交する方向に沿って延びる形状の溝を備え、
前記ガイドと前記溝とを係合させることによって、前記電池用蓋を前記筐体に装着する、携帯機器のストラップ取り付け構造。
【請求項２】
前記突起部材と前記溝は近接している、請求項１に記載の携帯機器のストラップ取り付け構造。
【請求項３】
前記上側筐体と前記下側筐体とは、前記高さ方向を軸方向とするネジによりネジ止めされている、請求項１に記載の携帯機器のストラップ取り付け構造。
【請求項４】
前記ネジ止めの位置と、前記突起部材とが近接している、請求項３に記載の携帯機器のストラップ取り付け構造。
【考案の詳細な説明】
【技術分野】
【０００１】
本発明は、薄型芳香発生装置等の携帯機器に対するストラップの取り付け構造に関する。
【背景技術】
【０００２】
近年、電子機器の小型化、薄型化が進み、当該電子機器を携帯して持ち歩くことが多くなっている。このような携帯型の電子機器（携帯機器）では、ユーザがストラップを取り付けることが多く、ストラップの取り付け構造が各種考案されている。
【０００３】
現在、例えば、特許文献１に示すように、携帯機器の筐体に、当該携帯機器の内部で折り返す形状の孔を設け、当該孔にストラップを通す構造が一般的である。
【０００４】
また、特許文献２に示す構造では、携帯機器内の電池の配置位置の近傍に、ストラップを引っかけるネジを備える。そして、当該ネジにストラップの折り返し部分を引っかけて、ストラップの折り返し部分を中間とする両端を、筐体の側面に設けられた孔から外部へ引き出している。そして、特許文献２に示す携帯機器は、電池の配置領域およびストラップの引き回し領域に対応する範囲を覆う蓋を、筐体に被せる構造を備えている。
【先行技術文献】
【特許文献】
【０００５】
【特許文献１】特開２００９−２９０４３７号公報
【特許文献２】特開２００６−１７３２６８号公報
【考案の概要】
【考案が解決しようとする課題】
【０００６】
しかしながら、特許文献１に記載のストラップ取り付け構造では、ストラップを孔に通すことが難しく、ユーザが筐体にストラップを簡単に取り付けることができない。
【０００７】
また、特許文献２に記載のストラップ取り付け構造では、ストラップの引き回し領域に対して、筐体の平板に直交する方向、すなわち、ストラップの引き回される面に直交する方向から蓋を被せる構造であるので、ストラップの引き回される面に直交する方向にストラップを引っ張ると、蓋が外れてしまう可能性がある。
【０００８】
この発明の目的は、筐体に対するストラップの取り付けが容易で、かつ、取り付け後は殆どストラップが外れることのない携帯機器のストラップ取り付け構造を提供することにある。
【課題を解決するための手段】
【０００９】
この発明は、上側筐体と下側筐体とを組み合わせることによって所定の高さからなる内部空間を形成した薄型の筐体と、該筐体の内部空間に配置された電池および該電池で駆動する電子機器と、を備え、筐体にストラップを取り付ける携帯機器のストラップ取り付け構造に関するものであり、次の特徴を備える。携帯機器は、上側筐体を平面視して電池が配置される領域に下側筐体に代えて上側筐体および下側筐体に対して着脱可能に装着される電池用蓋と、上側筐体と電池用蓋とに挟まれる内部空間に高さの方向に沿って立設された突起部材と、上側筐体の電池が配置される側の側壁に下側筐体と当接する側が開口するように形成された溝と、を備える。ストラップは、ひもの途中の所定位置が突起部材に巻くようにして折り返されており、該折り返される部分の両側のひもが溝を挿通するように装着される。電池用蓋は、高さ方向と直交する方向に沿って延びる形状のガイドを備える。筐体は、高さ方向と直交する方向に沿って延びる形状の溝を備える。そして、ガイドと溝とを係合させることによって、電池用蓋を筐体に装着する。
【００１０】
この構成では、電池用蓋を開けた状態で、ストラップを突起部材に掛け、溝に通すだけで、ストラップを筐体に装着することができる。そして、電池用蓋を装着することで、溝はひもを通す孔となる。さらに、筐体の高さ方向と直交する方向に沿って長く、筐体に対して電池用蓋が係合しているので、高さ方向に沿った力がストラップによって加わっても、電池用蓋は殆ど外れない。
【００１１】
また、この発明の携帯機器のストラップ取り付け構造では、突起部材と溝が近接していることが好ましい。
【００１２】
この構成では、突起部材と溝とが近接することで、ストラップのひもの引き回しが容易になり、ストラップをより簡単に装着できる。
【００１３】
また、この発明の携帯機器のストラップ取り付け構造では、上側筐体と下側筐体とは、高さ方向を軸方向とするネジによりネジ止めされていることが好ましい。
【００１４】
これにより、上側筐体と下側筐体の取り付け強度が向上する。
【００１５】
また、この発明の携帯機器のストラップ取り付け構造では、ネジ止めの位置と突起部材とが近接していることが好ましい。
【００１６】
この構成では、ストラップによって外部から力が加わる位置とネジ止め位置（強度の高い位置）とが近接するので、ストラップによる外力で筐体が破損することを抑制できる。
【考案の効果】
【００１７】
この発明のストラップ取り付け構造を用いれば、筐体に対するストラップの取り付けが容易で、かつ、取り付け後はストラップが外れることを防止できる。
【図面の簡単な説明】
【００１８】
【図１】本考案の実施形態に係る芳香発生装置の平面図である。
【図２】本考案の実施形態に係る芳香発生装置の底面図である。
【図３】本考案の実施形態に係る芳香発生装置の正面図である。
【図４】本考案の実施形態に係る芳香発生装置の左側面図である。
【図５】本考案の実施形態に係る芳香発生装置の右側面図である。
【図６】芳香発生装置の各構成要素の配置図および断面図である。
【図７】上側筐体１０と下側筐体２０とによる筐体の第４内部空間の具体的な構造を示す図である。
【図８】電池用蓋の四面図である。
【図９】ストラップ取り付け構造を説明するための部分平面図である。
【図１０】部分外観斜視図である。
【考案を実施するための形態】
【００１９】
本考案の実施形態に係る携帯機器のストラップ取り付け構造について、図を参照して説明する。なお、以下の実施形態では、携帯機器として携帯用で薄型の芳香発生装置を例に説明する。
【００２０】
まず、ストラップが取り付けられる芳香発生装置の構造について説明する。図１は本考案の実施形態に係る芳香発生装置１の平面図である。図２は本考案の実施形態に係る芳香発生装置１の底面図である。図３は本考案の実施形態に係る芳香発生装置１の正面図である。図４は本考案の実施形態に係る芳香発生装置１の左側面図である。図５は本考案の実施形態に係る芳香発生装置１の右側面図である。図６は芳香発生装置の各構成要素の配置図および断面図である。
【００２１】
芳香発生装置１は、上側筐体１０、下側筐体２０、トレイ部材２１、電池用蓋２２を備える。
【００２２】
上側筐体１０は、図１、図６に示すように、天面壁１０Ａと外周壁１０Ｂとを備える。天面壁１０Ａは、平面視した形状が略矩形状の平板からなる。天面壁１０Ａの平面視した角部は、曲線状に面取りされた形状からなる。外周壁１０Ｂは、天面壁１０Ａの外周に沿って、全周に亘り形成されている。外周壁１０Ｂは、天面壁１０Ａの平板面に対して直交する方向に延びる形状で形成されている。外周壁１０Ｂは全周に亘り略同じ高さで形成されている。このように構造により、上側筐体１０は、所定の高さを有する箱形で、且つ底面側が開口する形状からなる。
【００２３】
外周壁１０Ｂにおける上側筐体１０の長手方向の一方端（後述する電池が配置される側の端）となる外周壁１０Ｂ１には、溝８１，８２が形成されている。溝８１，８２は、ストラップ９０のひもが通る程度に細い幅で形成されている。なお、溝８１，８２を含むストラップの取り付け構造については、図７〜図１０を用いて具体的な構造を後述する。
【００２４】
上側筐体１０は、さらに、図６に示すように、内部壁１６，１７，１８を備える。内部壁１６，１７，１８は、天面壁１０Ａの底面側から突出する形状からなり、それぞれが適宜所定高さで形成されている。内部壁１６，１７，１８は、天面壁１０Ａの短手方向に沿って延びる形状からなる。内部壁１６，１７，１８は、天面壁１０Ａの長手方向に沿って、それぞれ適宜間隔をおいて形成されている。このような内部壁１６，１７，１８によって、上側筐体１０の底面側には、所定の深さ（高さ）からなる上側第１凹部１１０、上側第２凹部１２０、上側第３凹部１３０、および上側第４凹部１４０が形成される。これらの凹部は、上側筐体１０の長手方向に沿って配列形成されており、長手方向の一方端から、上側第２凹部１２０、上側第１凹部１１０、上側第３凹部１３０、上側第４凹部１４０の順に形成されている。溝８１，８２は、上側第４凹部１４０に連通している。この際、上側第２凹部１２０は、上側筐体１０の長手方向の寸法よりも上側筐体１０の短手方向の寸法が長くなるように、形成されている。
【００２５】
また、図１に示すように、上側筐体１０の天面壁１０Ａには、複数の気体放散口１１とスイッチボタン用の貫通穴１５が形成されている。なお、気体放散口は１つの吸い込み口と略同一面積になっている。気体放散口１１は、天面壁１０Ａを垂直に貫通して上側第１凹部１１０につながるように形成されている。貫通穴１５は、上側第３凹部１３０につながるように形成されている。
【００２６】
貫通穴１５には、ボタン部材１４が挿嵌されている。ボタン部材１４は、上側筐体１０を側面視して、当該上側筐体１０の天面壁の表面から部分的に突出するように配置されている。なお、ボタン部材１４が突出しないようにしてもよい。
【００２７】
図１、図３に示すように、上側筐体１０の天面壁１０Ａと側面壁１０Ｂの所定領域には、溝１２が形成されている。より具体的には、溝１２は、天面壁における貫通穴１５の形成領域を含み、気体放散口１１を含まない領域に形成されている。溝１２には化粧パーツ１３が配置されている。化粧パーツ１３は、溝１２に収まる形状で配設されている。化粧パーツ１３は、溝１２に対して着脱可能に取り付けられている。
【００２８】
下側筐体２０は、図２、図３に示すように、底面壁２０Ａと外周壁２０Ｂ，２０Ｃとを備える。底面壁２０Ａは、平面視した形状が略矩形状の平板からなる。外周壁２０Ｂ，２０Ｄは、底面壁２０Ａの平板面に対して直交する方向に延びる形状で形成されている。外周壁２０Ｂは、底面壁２０Ａの長手方向に沿った両辺に形成されている。外周壁２０Ｄは、底面壁２０Ａの短手方向に沿った一方の辺に形成されている。この辺は、上側筐体１０を下側筐体２０組み合わせた状態で、上側筐体１０の内部壁１８の形成位置に対向する。外周壁２０Ｄと内部壁１８はかみ合うことにより、上側筺体１０と下側筺体２０が離脱しないようなツメ構造になっている。底面壁２０Ａの短手方向に沿った他方の辺には、外周壁は形成されていない。この辺は、上側筐体１０の内部壁１６が当接する。
【００２９】
これら下側筐体２０の底面壁２０Ａと外周壁２０Ｂ，２０Ｄによって、図６に示すように、下側第１凹部２０１が形成されている。
【００３０】
下側筐体２０の底面壁２０Ａには、図２に示すように、気体吸入孔２００が形成されている。気体吸入孔２００は、下側筐体２０の底面壁２０Ａを貫通するように形成されている。
【００３１】
下側筐体２０の内部壁２０Ｃは、底面壁２０Ａの天面側から突出する形状からなり、所定高さで形成されている。内部壁２０Ｃは、底面壁２０Ａの短手方向に沿って延びる形状からなる。内部壁２０Ｃは、図６に示すように、上側筐体１０と下側筐体２０とを組み合わせた時に上側筐体１０の内部壁１７に対向する位置に、形成されている。
【００３２】
このような形状の上側筐体１０と下側筐体２０とを組み合わせる。この際、図６に示すように、上側筐体の長手方向に沿った外周壁１０Ｂと下側筐体２０の外周壁２０Ｂとを当接させ、上側筐体１０の内部壁１８と下側筐体２０の外周壁２０Ｄと先端同士を当接させる。また、上側筐体１０の内部壁１６の先端を下側筐体２０の外周壁２０Ｄと反対側の辺に当接させる。このような構成により、上側第１凹部１１０と下側第１凹部２０１とによる第１内部空間が構成される。また、上側第３凹部１３０と下側第１凹部２０１とによる第３内部空間が構成される。
【００３３】
なお、上側筐体１０と下側筐体２０は、具体的なネジ止め位置は後述するが、ネジ止めによって固定されている。このようなネジ止めを行うことで、上側筐体１０と下側筐体２０が強固に固定される。
【００３４】
トレイ部材２１は、図２、図３、図４、図６に示すように、底面壁２１Ａと外周壁２１Ｂとを備える。底面壁２１Ａは、平面視した形状が略矩形状の平板からなり、上側筐体１０の上側第２凹部１２０を覆う形状で形成されている。外周壁２１Ｂは、底面壁２１Ａの平板面に対して直交する方向に延びる形状で形成されている。外周壁２１Ｂは、底面壁２１Ａの外周辺に沿って形成されている。このような構造により、トレイ部材２１には、パッド配置用凹部２１１が形成される。なお、パッド配置用凹部２１１は、平面視して、上側筐体１０の上側第２凹部１２０と略同じ形状に形成されている。パッド配置用凹部２１１には、パッド６０は配置されている。パッド６０には、芳香成分を含む芳香液が染みこんでいる。
【００３５】
さらに、具体的な構成は後述するが、パッド配置用凹部２１１にはパッキン７０が配置されている。パッキン７０は、パッド配置用凹部２１１によってできるトレイ部材２１の内壁面（本発明の「凹部の壁面」に相当する。）とパッキン７０とによって、パッド６０を囲むように配置されている。
【００３６】
このような形状からなるトレイ部材２１を上側筐体１０に組み合わせる。この際、トレイ部材２１は、上側第２凹部１２０とパッド配置用凹部２１１とが平面視して重なり合うように、組み合わせられる。
【００３７】
このような構成により、上側第２凹部１２０とパッド配置用凹部２１１とによる第２内部空間が構成される。
【００３８】
電池用蓋２２は、具体的な構造は図８を用いて後述するが、概略的には図２、図３、図５に示すように、底面壁２２Ａと外周壁２２Ｂとを備える。このような形状からなる電池用蓋２２を上側筐体１０に組み合わせる。この際、電池用蓋２２は、外周壁２２Ｂの先端が、上側筐体１０の外周壁１０Ｂの先端に当接するように、組み合わせられる。この構成により、上側第４凹部１４０と電池用蓋２２とによる第４内部空間が構成される。
【００３９】
上側筐体１０と下側筐体２０に挟まれる第１内部空間には、圧電ポンプ３０が配置されている。圧電ポンプ３０は、弾性接着部材３１を介して第１内部空間を構成する上側筐体１０の上側第１凹部１１０表面に貼り付けられている。
【００４０】
圧電ポンプ３０は、圧電ポンプ３０の筐体３１０の平板面（ノズル３１２が突出する面）と、上側筐体１０の天面壁とが略平行になるように第１内部空間内に配置される。さらに、圧電ポンプ３０の気体流出孔３００が、上側筐体１０側になるように、第１内部空間内に配置される。
【００４１】
上側第３凹部１３０と下側第１凹部２０１とで形成された第３内部空間には、制御用基板４０が配置されている。また、制御用基板４０は、平板面が、上側筐体１０の天面壁１０Ａに略平行になるように配置されている。この際、第３内部空間の平面視した形状は、制御基板４０の平面形状と略同じ平面形状および面積で形成されている。これにより、上側筐体１０と下側筐体２０とによる筐体内に制御基板４０を収容するためのスペースを、最小限にすることができる。制御用基板４０は図示しない配線部材によって、圧電ポンプ３０に接続されている。
【００４２】
上側筐体１０の上側第２凹部１２０とトレイ部材２１のパッド配置用凹部２１１とが向かい合うように組み合わせられている。この際、上側筐体１０の外周壁１０Ｂ、および上側第１凹部１１０と上側第２凹部１２０とを区切る内部壁１８と、トレイ部材２１の外周壁２１Ｂとが当接するように組み合わせる。上側筐体１０の上側第２凹部１２０とトレイ部材２１のパッド配置用凹部２１１とによって、芳香成分保持空間となる第２内部空間が形成される。
【００４３】
上側筐体１０の上側第４凹部１４０と電池用蓋２２による凹部（外周壁２２Ｂで囲まれる領域）とが向かい合うように組み合わせられている。これにより、上側筐体１０と電池用蓋２２との間には、電池保持空間が形成される。このように形成される電池保持空間には、ボタン電池５０が配置される。この際、ボタン電池５０は、電池の厚み方向と、第４内部空間の高さ方向とが略一致するようにして、配置される。ボタン電池５０は、接続部材によって、制御用基板４０に接続されている。
【００４４】
このような構造の芳香発生装置１では、上述の各部品の構成から次に示す気体流通路の構造を実現することにより、パッド６０に染みこませた芳香成分を、上側筐体１０の気体放散口１１から外部へ放散させることができる。
【００４５】
図６に示すように、上側筐体１０の上側第１凹部１１０には、第１気体流通溝１１１および第２気体流通溝１１３が形成されている。第１気体流通溝１１１による第１気体流通路、および第２気体流通溝１１３による第２気体流通路は、所定の幅および所定の深さで形成されている。
【００４６】
第１気体流通路は、一方端がノズル３１２（気体流出孔３００）の配置される位置を含む所定範囲を含み、他方端が第２内部空間に連通するように、形成されている。第２気体流通路は、一方端が第２内部空間に連通し、他方端が気体放散口１１に連通するように、形成されている。
【００４７】
このような構造において、スイッチを押して、圧電ポンプ３０を駆動すると、圧電ポンプ３０の気体流出孔３００から気体を送出する。圧電ポンプ３０から送出された気体は、第１気体流通路を経由して第２内部空間内に導かれる。第２内部空間内に配置されたパッド６０に染みこませた芳香成分は、パッド表面から拡散して第２内部空間内に充満している。
【００４８】
このような状態の第２内部空間内に、第１気体流通路から気体が送入されると、当該気体の流れに乗って、芳香成分が第２気体流通路へ送出される。
【００４９】
第２気体流通路に送入された芳香成分を含む気体は、第２気体流通路を経由して、気体放散口１１に導かれる。気体放散口１１に導かれた芳香成分を含む気体は、気体放散口１１から芳香発生装置１の正面側外部へ放散される。
【００５０】
このような構成により、薄型の圧電ポンプ３０から芳香成分発生装置１の厚み方向に送出された気体は、芳香成分発生装置１の第１主平面に平行な方向に搬送されながら、芳香成分を搬送し、芳香成分発生装置１の表面の気体放散口１１から外部へ放散される。これにより、芳香成分の放散効果を十分に得ながら、芳香発生装置を薄型にすることができる。
【００５１】
次に、このような薄型に形成された芳香発生装置１に対するストラップの取り付け構造を、図７〜図１０を用いて、より具体的に説明する。
【００５２】
図７は上側筐体１０と下側筐体２０とによる筐体の第４内部空間の具体的な構造を示す図である。図７（Ａ）は下側筐体２０側から見た部分平面図であり、図７（Ｂ）は筐体の短手方向に沿った側面を見た側面図であり、図７（Ｃ）は筐体の長手方向に沿った側面を見た部分側面図である。
【００５３】
上側筐体１０の上側第４凹部１４０に対応する領域には、下側筐体２０の一部として、厚肉部２３０が形成されている。厚肉部２３０は、筐体における第４内部空間に対応する領域に形成されている。厚肉部２３０は、筐体を平面視した中央に、電池収容穴２３１を備える。電池収容穴２３１は、ボタン電池の形状に合わせて、平面視して略円形に形成されている。電池収容穴２３１は、筐体の第４内部空間側の外周壁１０Ｂ１に達するように、所定の幅の範囲だけが拡張されている。電池収容穴２３１は厚肉部２３０の他の領域よりも筺体の厚み方向に薄くなっている。
【００５４】
また、厚肉部２３０には、筐体を平面視して、電池収容穴２３１を囲むように、複数のネジ止め用孔２３４が形成されている。これらのネジ止め用孔２３４にネジを挿入して、ネジ止めすることで、下側筐体２０と上側筐体１０とが強固に固定される。
【００５５】
厚肉部２３０における電池収容穴３１の第３内部空間側は、段差部２４０が形成されている。段差部２４０は、厚肉部２３０よりも厚く形成されている。段差部２４０には、図示していないが溝が形成されており、電池用蓋２２２の内側に形成された突起（図示せず）が嵌ることで、電池用蓋２２２を下側筐体２０に固定できる。
【００５６】
厚肉部２３０における筐体の長手方向に沿った両側面には、溝２３２が形成されている。溝２３２は、筐体の長手方向に延びる形状で形成されている。
【００５７】
筐体を平面視して上側筐体１０の外周壁１０Ｂ１の溝８１，８２に近接する位置には、突起部材８０が形成されている。突起部材８０は、上側筐体１０の天面壁１０Ａから当該天面壁１０Ａに対して直交する方向に立設する棒状で形成されている。突起部材８０は、筐体に電池用蓋２２２を装着した場合に、電池用蓋２２２の内部空間側の面に当接する程度の高さで形成されている。
【００５８】
この突起部材８０を囲むように、凹部２３３が形成されている。凹部２３３は、電池収容穴２３１に連通する形状で形成されている。
【００５９】
図８は、電池用蓋の四面図である。図８（Ａ）は平面図であり、図８（Ｂ）は第１側面図であり、図８（Ｃ）は第２側面図であり、図８（Ｄ）は正面図である。なお、図８では、電池用蓋２２を筐体に装着した際に、外側となる面から見た図を平面図としている。
【００６０】
電池用蓋２２の底面壁２２Ａは、平面視した形状が略矩形状の平板からなり、上側筐体１０の上側第４凹部１４０を覆う形状で形成されている。外周壁２２Ｂは、底面壁２２Ａの平板面に対して直交する方向に延びる形状で形成されている。外周壁２２Ｂは底面壁２２Ａの外周辺に沿った三辺にのみ形成されている。すなわち、電池用蓋２２は、互いに平行に延びる形状の外周壁２２Ｂ２と、該外周壁２２Ｂ２に直交する方向に延びる形状の外周壁２２Ｂ１とを備える。外周壁２２Ｂ１と対向する外周壁は備えない。そして、電池用蓋２２は、外周壁を備えない側が下側筐体２０の長手方向の中央側になるように、下側筐体２０に対して係合する。この際、電池用蓋２２の底面壁２２Ａの表面と下側筐体２０の底面壁２０Ａの表面とが同一平面で係合するように電池用蓋２２が装着される。
【００６１】
電池用蓋２２は、外周壁を備えない側の底面壁２２Ａの端部に凹部２２２が形成されている。この凹部２２２は、上述の段差部２４０の高さと同じ深さで形成されており、図示しない突起を備える。この突起と上述の段差部２４０の溝とを係合させることで、電池用蓋２２は、筐体に対して長手方向に移動しないように固定される。
【００６２】
また、電池用蓋２２の外周壁２２Ｂ２には、底面壁２２Ａに対して間隔をおき、底面壁２２Ａに沿うようにして延びる形状からなるガイド２２１が形成されている。ガイド２２１は、外周壁２２Ｂ２における底面壁２２Ａと接続する側と反対側の端部に形成されている。このガイド２２１を、上述の肉部２３０の溝２３２に沿って係合させることで、電池用蓋２２は、下側筐体２０に対して、平板面に直交する方向に外れることなく、固定される。
【００６３】
図９はストラップ取り付け構造を説明するための部分平面図であり、図１０は、部分外観斜視図である。図１０（Ａ）は電池用蓋２２が装着されていない状態を示し、図１０（Ｂ）は電池用蓋２２を装着した状態を示している。
【００６４】
図９、図１０に示すように、ストラップ９０は、ひもの途中の折り返し部が突起部材８０の側面に回り込んで当接し、折り返し部を挟む両側のひもが溝８１，８２を挿通するようにして、取り付けられる。ストラップ９０を装着する際には、電池用蓋２２を開けて、ストラップ９０のひもの所定部（折り返し部となるところ）を単に突起部材８０に掛け、ひもを溝８１，８２に通す作業だけでよい。そして、この作業後に、電池用蓋２２のガイド２２１を下側筐体２０の肉部２３０の溝２３２に沿ってスライドさせながら、電池用蓋２２を下側筐体２０に装着すればよい。したがって、ストラップ９０を容易に装着することができる。
【００６５】
そして、電池用蓋２２が装着されている状態では、溝８１，８２の開口（電池用蓋２２側の端部）は、電池用蓋２２の外周壁２２Ｂ１によって塞がれる。したがって、ストラップ９０の取り付け後に、電池用蓋２２を装着すれば、ストラップ９０は外れない。
【００６６】
また、ストラップ９０は、筐体の平板面に直交する方向に延びる突起部材８０に、巻くように装着されているので、筐体の平板面に平行な方向に引っ張られても、外れない。
【００６７】
さらに、本実施形態の構造では、電池用蓋２２は、下側筐体２０に対して、平板面と平行な方向へ延びる溝２３２とガイド２２１との係合によって固定されている。したがって、ストラップ９０に対して平板面に直交する方向（高さ方向）に沿って引っ張る力が加わっても、溝２３２とガイド２２１が平板面に平行な面において長い距離（広い面積）で係合しているので、電池用蓋２２が下側筐体２０から外れない。
【００６８】
以上のように、本実施形態の構成を用いれば、筐体に対するストラップの取り付けが容易で、かつ、取り付け後はストラップが外れない。
【００６９】
また、上述の実施形態に示したように、ネジ止めの位置と突起部材８０の位置とが近接していると、ストラップ９０によって外力が加わっても、ネジ止めによる上側筐体と下側筐体との取り付け強度が高いので、筐体が破損することを防止できる。
【００７０】
なお、上述の実施形態では、芳香発生装置を例に説明したが、他の携帯機器であっても上述の構成を適用できる。
【符号の説明】
【００７１】
１：芳香成分発生装置、
１０：上側筐体、
１０Ａ：天面壁、
１０Ｂ，１０Ｂ１：外周壁、
１１：気体放散口、
１２：溝、
１３：化粧パーツ、
１４：ボタン部材、
１５：貫通穴、
１６，１７，１８，２０Ｃ：内部壁、
２０：下側筐体、
２０Ａ，２１Ａ，２２Ａ：底面壁、
２０Ｂ，２０Ｄ，２１Ｂ，２２Ｂ，２２Ｂ１，２２Ｂ２：外周壁、
２１：トレイ部材、
２２：電池用蓋、
３０：圧電ポンプ、
３１：弾性接着部材、
３２：開口部、
４０：制御用基板、
５０：ボタン電池、
６０：パッド、
７０：パッキン、
８０：突起部材、
８１，８２：溝、
９０：ストラップ、
１１０：上側第１凹部、１２０：上側第２凹部、１３０：上側第３凹部、１４０：上側第４凹部、
１１１：第１気体流通溝、
１１３：第２気体流通溝、
２００：気体吸入孔、
２０１：下側第１凹部、
２０３：側面壁、
２０４：係合用凹部、
２１１：パッド配置用凹部、
２１３：アーム部材、
２１４，２１５：係合用凸部、
２２１：ガイド、
２３０：厚肉部、
２３１：電池収容穴、
２３２：溝、
２３３：凹部、
２３４：ネジ止め用孔、
２４０：段差部、
３００：気体流出孔、
３６０：気体流入穴
【図１】
0003177769.tif 000003
【図２】
0003177769.tif 000004
【図３】
0003177769.tif 000005
【図４】
0003177769.tif 000006
【図５】
0003177769.tif 000007
【図６】
0003177769.tif 000008
【図７】
0003177769.tif 000009
【図８】
0003177769.tif 000010
【図９】
0003177769.tif 000011
【図１０】
0003177769.tif 000012